(57)【要約】【課題】ネジをできるだけ使うことなく防水パッキンを確実に挟み込む。【解決手段】正面側キャビネット３に複数の第１内側係合部を所定の距離をあけて配置する。この第１内側係合部に対し防水パッキン２０を跨いだ位置に第１外側係合部１１を配置すると共に、背面側キャビネット４に第１内側係合部が係合する第２内側係合部を配置する。この第２内側係合部に対し防水パッキン２０を跨いだ位置に第１外側係合部１１が係合する第２外側係合部１４を配置する。【選択図】図１
2014036266.tif 000002
【特許請求の範囲】
【請求項１】
第１キャビネットと第２キャビネットとの間に防水パッキンを挟み込んで該第１キャビネットと該第２キャビネットとを組み付ける携帯端末において、
上記第１キャビネットには、複数の第１内側係合部が所定の距離をあけて配置され、該第１内側係合部に対し上記防水パッキンを跨いだ位置に第１外側係合部が配置され、
上記第２キャビネットには、上記第１内側係合部が係合する第２内側係合部が配置されると共に、該第２内側係合部に対し上記防水パッキンを跨いだ位置に上記第１外側係合部が係合する第２外側係合部が配置されている
ことを特徴とする携帯端末。
【請求項２】
請求項１に記載の携帯端末において、
上記第１外側係合部と上記第１内側係合部とは、上記防水パッキンを跨いだ位置に互いに斜向かいに配置されると共に、
上記第２外側係合部と上記第２内側係合部とは、上記防水パッキンを跨いだ位置に互いに斜向かいに配置されている
ことを特徴とする携帯端末。
【発明の詳細な説明】
【技術分野】
【０００１】
本発明は、防水構造の携帯端末に関するものである。
【背景技術】
【０００２】
従来より、第１キャビネットと第２キャビネットとの間にバッテリ、基板等を収納し、第１キャビネットと第２キャビネットとを重ね合わせてネジを締結する携帯端末は知られている（例えば、特許文献１参照）。
【０００３】
近年、携帯電話機などの携帯端末では防水機能を有するものが増えてきている。防水パッキンを第１キャビネットと第２キャビネットとの間に挟み込んで防水機能を確保するには、防水パッキンを圧縮した状態で第１キャビネットと第２キャビネットとを組み付ける必要がある。
【０００４】
このため、上記特許文献１のように一般的にはネジを用いて防水することが知られている。
【先行技術文献】
【特許文献】
【０００５】
【特許文献１】特開２００８−２１９８５１号公報
【発明の概要】
【発明が解決しようとする課題】
【０００６】
しかしながら、従来のようなネジを用いた携帯端末では、ネジを締結するためのボス部を設ける必要があるため、内部部品、特にバッテリをキャビネットの隅々まで延ばして大きくすることができないという問題があった。
【０００７】
本発明は、かかる点に鑑みてなされたものであり、その目的とするところは、ネジをできるだけ使うことなく防水パッキンを確実に挟み込むことにある。
【課題を解決するための手段】
【０００８】
上記の目的を達成するために、この発明では、キャビネット同士の係合構造を利用するようにした。
【０００９】
具体的には、第１の発明では、
第１キャビネットと第２キャビネットとの間に防水パッキンを挟み込んで該第１キャビネットと該第２キャビネットとを組み付ける携帯端末において、
上記第１キャビネットには、複数の第１内側係合部が所定の距離をあけて配置され、該第１内側係合部に対し上記防水パッキンを跨いだ位置に第１外側係合部が配置され、
上記第２キャビネットには、上記第１内側係合部が係合する第２内側係合部が配置されると共に、該第２内側係合部に対し上記防水パッキンを跨いだ位置に上記第１外側係合部が係合する第２外側係合部が配置されている。
【００１０】
上記の構成によると、防水パッキンを挟んで第１キャビネットと第２キャビネットとの間で第１内側係合部と第２内側係合部とが係合し、第１外側係合部と第２外側係合部とが係合するので、防水パッキン周辺で確実に第１キャビネットと第２キャビネットとが固定される。このため、防水効果が確実に発揮されると共に、その近傍ではネジで固定する必要がなくなるので、内部部品、例えばバッテリを大きくすることができる。
【００１１】
第２の発明では、第１の発明において、
上記第１外側係合部と上記第１内側係合部とは、上記防水パッキンを跨いだ位置に互いに斜向かいに配置されると共に、
上記第２外側係合部と上記第２内側係合部とは、上記防水パッキンを跨いだ位置に互いに斜向かいに配置されている。
【００１２】
上記の構成によると、斜向かいに配置することで、内側又は外側のいずれかが所定の距離に配置され、強度が確保される。また、係合部の個数を必要以上に多く設ける必要がなくなり、組立性や分解性が向上する。
【発明の効果】
【００１３】
以上説明したように、本発明によれば、第１キャビネットに複数の第１内側係合部を所定の距離をあけて配置して防水パッキンを跨いだ位置に第１外側係合部を配置すると共に、第２キャビネットに第１内側係合部が係合する第２内側係合部を配置して防水パッキンを跨いだ位置に第１外側係合部が係合する第２外側係合部を配置したことにより、ネジをできるだけ使うことなく防水パッキンを確実に挟み込み、内部空間を確保し、例えばバッテリを大きくすることができる。
【図面の簡単な説明】
【００１４】
【図１】図２のＩ−Ｉ線拡大断面図である。
【図２】携帯電話機を示す正面図である。
【図３】携帯電話機を正面側から見た分解斜視図である。
【図４】携帯電話機を背面側から見た分解斜視図である。
【図５】正面側キャビネットを背面側から見た斜視図である。
【図６】図５のVI部拡大斜視図である。
【図７】背面側キャビネットを正面側から見た斜視図である。
【図８】図７のVIII部拡大斜視図である。
【図９】図２のIX−IX線拡大断面である。
【発明を実施するための形態】
【００１５】
以下、本発明の実施形態を図面に基づいて説明する。
【００１６】
図２〜図４は本発明の実施形態の携帯端末としての携帯電話機１を示し、この携帯電話機１は、正面側に表示部２が嵌め込まれる第１キャビネットとしての正面側キャビネット３と、この正面側キャビネット３の背面側に組み付けられる第２キャビネットとしての背面側キャビネット４とを有し、この背面側キャビネット４の背面がリアカバー５で覆われている。例えば、正面側キャビネット３、背面側キャビネット４及びリアカバー５は、樹脂成形品よりなる。
【００１７】
図１にも示すように、正面側キャビネット３と背面側キャビネット４との間には、矩形板状のバッテリ６が配置され、その背面側にメイン基板７が設けられている。
【００１８】
図５及び図６に示すように、正面側キャビネット３の周縁背面側には、パッキン用溝８が連続して形成されている。そのパッキン用溝８の内側には、矩形状に立壁９が一体に形成され、バッテリ６は、この立壁９内に収容されるようになっている。左右の立壁９には、図９にも示すように、複数の第１内側係合部１０として矩形状の貫通孔が上下に所定の距離をあけて形成されている。正面側キャビネット３には、各第１内側係合部１０に対しパッキン用溝８を跨いだ位置に上下に所定の間隔をあけて例えば３つの第１外側係合部１１としての凹部が形成されている（図１参照）。このようにして第１外側係合部１１と第１内側係合部１０とは、パッキン用溝８を跨いだ位置に互いに斜向かいに配置されている。なお、第１内側係合部１０の上下同じ位置に第１外側係合部１１よりも外側の角部に位置合わせ等のために凹部１５が形成されている（図９参照）。
【００１９】
一方、図７〜図９に示すように、背面側キャビネット４には、正面側キャビネット３のパッキン用溝８に対応する位置に平坦なパッキン押圧部１２が連続して形成されている。パッキン押圧部１２の内側には、第１内側係合部１０に挿入されて係合する第２内側係合部１３が左右内側へ突出するように一体に形成されている。各第２内側係合部１３に対しパッキン押圧部１２を跨ぎ、第１外側係合部１１に引っ掛かって係合する断面が鉤状の第２外側係合部１４が一体形成されている（図１参照）。そして、第２外側係合部１４と第２内側係合部１３とは、パッキン押圧部１２を跨いだ位置に互いに斜向かいに配置されている。また、第２内側係合部１３の上下同じ位置で、かつ第２外側係合部１４よりも外側の角部に上記凹部１５に嵌り込む凸部１６が形成されている（図９参照）。
【００２０】
なお、図５に示すように、正面側キャビネット３には、上側に二対、下側に一対のボス部３ａが設けられ、これに対応させて図７に示すように、背面側キャビネット４にも上側に二対、下側に一対のネジ挿通孔４ａが設けられ、これらに図示しないネジを挿通して締結するようになっているが、バッテリ６が収容される領域（立壁９の左右外側）には、ボス部３ａもネジ挿通孔４ａも設けられていない。
【００２１】
このように構成することで、図１及び図９に示すように、防水パッキン２０を挟んで正面側キャビネット３と背面側キャビネット４との間で第１内側係合部１０と第２内側係合部１３とが係合し、第１外側係合部１１と第２外側係合部１４とが係合するので、防水パッキン２０周辺で確実に正面側キャビネット３と背面側キャビネット４とが固定される。このため、防水効果が確実に発揮されると共に、これらの近傍でネジで固定する必要がなくなるので、バッテリ６の幅を立壁９の近傍まで大きくすることができる。
【００２２】
また、斜向かいに配置することで、内側か外側のいずれかが所定の距離に配置され、強度が確保される。また、係合部の個数を必要以上に設ける必要がなくなり、組立性や分解性が向上する。
【００２３】
（その他の実施形態）
本発明は、上記実施形態について、以下のような構成としてもよい。
【００２４】
すなわち、上記実施形態では、第１内側係合部１０及び第１外側係合部１１、第２内側係合部１３及び第２外側係合部１４のいずれか一方を突出させて他方に係合させたが、逆に他方を突出させて一方に係合させてもよい。また、第１内側係合部１０、第１外側係合部１１、第２内側係合部１３及び第２外側係合部１４の個数はあくまで一例であってこれに限定されず、増減させてもよい。
【００２５】
上記実施形態では、位置決め等のために凹部１５と凸部１６とを設けているが、これは必ずしも設けなくてもよい。
【００２６】
上記実施形態では、携帯端末は、携帯電話機１としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００２７】
なお、以上の実施形態は、本質的に好ましい例示であって、本発明、その適用物や用途の範囲を制限することを意図するものではない。
【産業上の利用可能性】
【００２８】
以上説明したように、本発明は、防水構造の携帯電話機などの携帯電話機について有用である。
【符号の説明】
【００２９】
１      携帯電話機（携帯端末）
２      表示部
３      正面側キャビネット（第１キャビネット）
３ａ    ボス部
４      背面側キャビネット（第２キャビネット）
４ａ    ネジ挿通孔
５      リアカバー
６      バッテリ
７      メイン基板
８      パッキン用溝
９      立壁
１０      第１内側係合部
１１      第１外側係合部
１２      パッキン押圧部
１３      第２内側係合部
１４      第２外側係合部
１５      凹部
１６      凸部
２０      防水パッキン
【図１】
2014036266.tif 000003
【図２】
2014036266.tif 000004
【図３】
2014036266.tif 000005
【図４】
2014036266.tif 000006
【図５】
2014036266.tif 000007
【図６】
2014036266.tif 000008
【図７】
2014036266.tif 000009
【図８】
2014036266.tif 000010
【図９】
2014036266.tif 000011